(57)【要約】      （修正有）【課題】シートを支持してシートの負荷能力を強化することができ、シートが折れることを避けるブランコ椅子を提供する。【解決手段】バックプレート１の上にシート２が配置され、そのバックプレートの底部には二つのスリーブ３が対称的に設置してあり、その二つのスリーブ３の間にＵ字型の支持ロッド４が配置され、そのＵ字型の支持ロッド４の内側に椅子背板５が配置され、その椅子背板５の後ろ端面に二つのスリーブ部６が対称的に設置され、そのスリーブ部６はそのＵ字型の支持ロッド４の上に配置され、その椅子背板５の前端面に第一クッション５１１が設置してあり、その第一クッション５１１には背中位置決め溝５１２があり、そのシート２のトップには第一溝があり、その第一溝には第二クッション２１１が嵌めこまれており、その第二クッション２１１はヒップ位置決め溝２１２がある。【選択図】図１
0003206179.tif 000002
【実用新案登録請求の範囲】
【請求項１】
ブランコ椅子において、
バックプレートを含み、そのバックプレートの上にシートが配置され、そのシートの底部にそのバックプレートと合わせ用の溝があり、そのバックプレートの両端がその溝の外部に延びており、そのバックプレートのトップ部の両端にサスペンション穴を設置してあり、そのバックプレートの底部には二つのスリーブが対称的に設置してあり、その二つのスリーブの間にU字型の支持ロッドが配置され、そのスリーブとそのU字型の支持ロッドとの間に第一ボルトを設置してあり、そのU字型の支持ロッドの内側に椅子背板が配置され、その椅子背板の後ろ端面に二つのスリーブ部が対称的に設置され、そのスリーブ部はそのU字型の支持ロッドの上に配置され、そのスリーブ部とそのU字型の支持ロッドの間にボルトが配置され、その椅子背板の前端面に第一クッションが設置してあり、その第一クッションには背中位置決め溝があり、そのシートのトップには第一溝があり、その第一溝には第二クッションが嵌めこまれており、その第二クッションはヒップ位置決め溝がある
ことを特徴とするブランコ椅子。
【考案の詳細な説明】
【技術分野】
【０００１】
本実用新型は一種のブランコ椅子に関する。
【背景技術】
【０００２】
ブランコは子供の玩具の一つであり、既存の技術ではのブランコに使用される椅子は簡単なプラスチック板で、その支持能力が有限で、折れやすい、同時に、椅子の後ろに位置制限装置がない、しかし、子供の自己コントロール能力が有限なので、後方に転倒しやすい、大きな安全リスクが存在している。
【考案の概要】
【考案が解決しようとする課題】
【０００３】
本実用新型は解決する必要な問題は一種のブランコ椅子を提供すること、バックプレートによってシートを支持してシートの負荷能力を強化することができ、シートが折ることを避ける、同時に、シートの後ろに椅子背板を配置し、後ろ位置制限効果があり、子供が遊び過程に後ろに転がすことを避ける。と同時に、椅子背板はシートとの距離はU字型の支持ロッドを移動することによって調節し、使用に満足できる。本申請装置の構造は簡単で、コストが低い、製造にもやや便利で、普及することに相応しい。
【課題を解決するための手段】
【０００４】
一種のブランコ椅子、バックプレートを含め、そのバックプレートの上にシートが配置され、そのシートの底部にそのバックプレートと合わせ用の溝があり、そのバックプレートの両端がその溝の外部に延ばしている、そのバックプレートのトップ部の両端に位置にサスペンション穴を設置してあり、そのバックプレートの底部には二つのスリーブが対称的に設置してあり、その二つのスリーブの間にU字型の支持ロッドが配置され、そのスリーブはそのU字型の支持ロッドとの間に第一ボルトを設置してあり、そのU字型の支持ロッドの内側に椅子背板が配置され、その椅子背板の後ろ端面に二つのスリーブ部が対称的に設置され、そのスリーブ部はそのU字型の支持ロッドの上に配置され、そのスリーブ部はそのU字型の支持ロッドの間にボルトが配置され、その椅子背板の前端面に第一クッションが設置してあり、その第一クッションには背中位置決め溝があり、そのシートのトップには第一溝があり、その第一溝には第二クッションが嵌めこまれており、その第二クッションはヒップ位置決め溝がある。
【０００５】
優秀な技術案として、そのシート外部の四つの角部は円弧式固定され、そのシートはPVCプラスチック製である。
【０００６】
優秀な技術案として、そのバックプレートの外部の四つの角部は円弧式固定される。
【０００７】
優秀な技術案として、そのスリーブはそのバックプレートの間に溶接で固定され、そのU字型の支持ロッドはそのスリーブの間は移動し合わせている。
【考案の効果】
【０００８】
本実用新型の有益な効果は：バックプレートによってシートを支持してシートの負荷能力を強化することができ、シートが折ることを避ける、同時に、シートの後ろに椅子背板を配置し、後ろ位置制限効果があり、子供が遊び過程に後ろに転がすことを避ける。と同時に、椅子背板はシートとの距離はU字型の支持ロッドを移動することによって調節し、使用に満足できる。本申請装置の構造は簡単で、コストが低い、製造にもやや便利で、普及することに相応しい。
【図面の簡単な説明】
【０００９】
【図１】本実用新型の構造見取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１に示された一種のブランコ椅子を参考してください、バックプレート１を含め、そのバックプレート１の上にシート２が配置され、そのシート２の底部にそのバックプレート１と合わせ用の溝（図面なし）があり、そのバックプレート１の両端がその溝の外部に延ばしている、そのバックプレート１のトップ部の両端に位置にサスペンション穴101を設置してあり、そのバックプレートの底部には二つのスリーブ３が対称的に設置してあり、その二つのスリーブ３の間にU字型の支持ロッド４が配置され、そのスリーブ３はそのU字型の支持ロッド４との間に第一ボルト421を設置してあり、そのU字型の支持ロッド４の内側に椅子背板５が配置され、その椅子背板５の後ろ端面に二つのスリーブ部６が対称的に設置され、そのスリーブ部６はそのU字型の支持ロッドの上に配置され、そのスリーブ部はそのU字型の支持ロッドの間にボルト４が配置され、その椅子背板５の前端面に第一クッション511が設置してあり、その第一クッション511には背中位置決512め溝があり、そのシート２のトップには第一溝（図面なし）があり、その第一溝には第二クッション211が嵌めこまれており、その第二クッション211はヒップ位置決め溝212がある。
【００１２】
本実用新型の一つの好ましい実施例として、そのシート２外部の四つの角部は円弧式固定され、そのシート2はPVCプラスチック製である。
【００１３】
本実用新型の一つの好ましい実施例として、そのバックプレート１の外部の四つの角部は円弧式固定される。
【００１４】
本実用新型の一つの好ましい実施例として、そのスリーブ3はそのバックプレート１の間に溶接で固定され、そのU字型の支持ロッド4はそのスリーブ３の間は移動し合わせている。
【００１５】
本実用新型の有益な効果は：バックプレートによってシートを支持してシートの負荷能力を強化することができ、シートが折ることを避ける、同時に、シートの後ろに椅子背板を配置し、後ろ位置制限効果があり、子供が遊び過程に後ろに転がすことを避ける。と同時に、椅子背板はシートとの距離はU字型の支持ロッドを移動することによって調節し、使用に満足できる。本申請装置の構造は簡単で、コストが低い、製造にもやや便利で、普及することに相応しい。
【００１６】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206179.tif 000003